(57)【要約】【目的】シャワーヘッドを任意の位置に設置することができるとともに、シャワーヘッドの高さだけではなく角度をも調節できるシャワーフックを提供する。【構成】床１と天井２間に設置されるポール３に装着されるシャワーフック５であって、ポールに上下動自在に固定されるポール固定部材７と、該ポール固定部材に回動自在に嵌合されるヘッド装着部材９とを備え、前記ポール固定部材に配設され、前記ポールを把持する一対の固定レバー１２と、前記ポール固定部材の一端に形成されたブレーキ支持部１３と、前記ポール固定部材の外周面に形成された複数の係合片１４と、前記ヘッド装着部材の一端に形成され前記ブレーキ支持部が入り込む嵌合部１５と、該嵌合部の内周には形成され前記係合片と係合された係合部１６と、前記ブレーキ支持部と嵌合部との間に配設されたブレーキ部材１７とからなる。【選択図】図１
2006028982.tif 000002
【特許請求の範囲】
【請求項１】
床と天井間に設置されるポールに装着されるシャワーフックであって、ポールに上下動自在に固定されるポール固定部材と、該ポール固定部材に回動自在に嵌合されるヘッド装着部材とを備え、前記ポール固定部材に配設され、前記ポールを把持する一対の固定レバーと、前記ポール固定部材の一端に形成されたブレーキ支持部と、前記ポール固定部材の外周面に形成された複数の係合片と、前記ヘッド装着部材の一端に形成され前記ブレーキ支持部が入り込む嵌合部と、該嵌合部の内周には形成され前記係合片と係合された係合部と、前記ブレーキ支持部と嵌合部との間に配設されたブレーキ部材とからなることを特徴とするシャワーフック。
【発明の詳細な説明】
【技術分野】
【０００１】
本発明は、化粧室の洗面台近傍や浴室に設置可能なシャワーフックに関する。
【背景技術】
【０００２】
従来、浴室には、シャワーヘッドを着脱自在に装着することができるシャワーフックが高低２箇所に固定されているのが一般的である。しかし、身長によってはシャワーフックの高さが合わないため、頭髪を洗い流す場合、片手でシャワーヘッドを保持し、もう一方の手で頭髪を洗い流さなければならないという不便さがあった。そこで、市販のシャワーフックを壁面にネジや接着剤で固定する方法が行われているが、壁面を傷つけたり、耐久性に問題を有している。
【０００３】
この問題を解決するために、特許文献１においては、天井と床との間に伸縮自在の支持棒を設置し、この支持棒にシャワーフックを高さ調節自在に装着し、シャワーヘッドの高さを調節可能にしたものが提案されている。
【特許文献１】特開平８−３１１９４６号公報
【発明の開示】
【発明が解決しようとする課題】
【０００４】
しかしながら、特許文献１に示すシャワーフックにおいては、シャワーヘッドの角度を変えることができず、依然として頭髪を洗い流す場合、片手でシャワーヘッドを保持し、もう一方の手で頭髪を洗い流さなければならないという問題を有している。
【０００５】
本発明は、上記従来の問題を解決するものであって、シャワーヘッドを任意の位置に設置することができるとともに、シャワーヘッドの高さだけではなく角度をも調節できるシャワーフックを提供することを目的とする。
【課題を解決するための手段】
【０００６】
そのために本発明のシャワーフックは、床と天井間に設置されるポールに装着されるシャワーフックであって、ポールに上下動自在に固定されるポール固定部材と、該ポール固定部材に回動自在に嵌合されるヘッド装着部材とを備え、前記ポール固定部材に配設され、前記ポールを把持する一対の固定レバーと、前記ポール固定部材の一端に形成されたブレーキ支持部と、前記ポール固定部材の外周面に形成された複数の係合片と、前記ヘッド装着部材の一端に形成され前記ブレーキ支持部が入り込む嵌合部と、該嵌合部の内周には形成され前記係合片と係合された係合部と、前記ブレーキ支持部と嵌合部との間に配設されたブレーキ部材とからなることを特徴とする。
【発明の効果】
【０００７】
本発明によれば、シャワーヘッドを任意の位置に設置することができるとともに、シャワーヘッドの高さだけではなく角度をも調節できるシャワーフックを提供することができる。特に、化粧室の洗面台にシャワー設備がない場合に有効である。
【発明を実施するための最良の形態】
【０００８】
以下、本発明の実施形態を図面を参照しつつ説明する。図１および図２は、本発明のシャワーフックの１実施形態を示し、図１（Ａ）は全体構成を示す正面図、図１（Ｂ）は図１（Ａ）のＢ−Ｂ線に沿って矢印方向に見た断面図、図２（Ａ）は図１（Ｂ）のＹ−Ｙ線に沿って矢印方向に見た断面図、図２（Ｂ）は図２（Ａ）の要部拡大図である。
【０００９】
図１（Ａ）において、本発明のシャワーフック５は、床１と天井２間に設置されるポール３に装着される。ポール３は、下部ポール３ａと、この下部ポール３ａに伸縮自在に嵌合され固定具４の締め付けにより固定される上部ポール３ｂを備えている。そして、下部ポール３ａおよび上部ポール３ｂには、シャワーフック５が上下動自在に装着されている。このシャワーフック５にシャワーヘッド６が嵌合される。
【００１０】
シャワーフック５は、図１（Ｂ）に示すように、シャワーフック５をポール３に上下動自在に固定するポール固定部材７と、このポール固定部材７に回動自在に嵌合されるヘッド装着部材９とから構成されている。ポール固定部材７には、ポール貫通穴１０が形成されるとともに、ポール固定部材７の端部には、一対の操作ボタン１１が配設され、操作ボタン１１から延びる一対の固定レバー１２がポール３を把持するように配設されている。操作ボタン１１を押圧すると固定レバー１２がスプリング（図示せず）に抗して支点ｐを中心に図示矢印方向に回動し、ポール３の係合を解除し上下動自在な状態となる、操作ボタン１１を離すと図示矢印の逆方向に回動し、固定レバー１２がポール３を把持しポール固定部材７は固定状態となる。
【００１１】
ポール固定部材７の一端には、凸状のブレーキ支持部１３が形成され、また、外周面には複数の係合片１４が設けられている。一方、ヘッド装着部材９の一端には前記ブレーキ支持部１３が入り込む凹状の嵌合部１５が形成され、嵌合部１５の内周には係合部１６が形成されている。この構成により、ヘッド装着部材９にポール固定部材７を押し込むと、係合片１４が係合部１６に嵌合されヘッド装着部材９は、ポール固定部材７に対してフリーな状態で回動自在に嵌合されたことになる。そして、ブレーキ支持部１３と嵌合部１５との間にブレーキ部材１７が配設されている。なお、ヘッド装着部材９には、シャワーホース挿入溝９ａとシャワーヘッド挿入穴９ｂが形成されている。
【００１２】
図２（Ａ）に示すように、ブレーキ部材１７はブレーキ支持部１３に嵌合され、周囲に４つの摺接面１７ａを有し、摺接面１７ａが嵌合部１５の内面と摺接し、ヘッド装着部材９を任意の位置で停止するように回動可能にしている。そのために、図２（Ｂ）に示すように、摺接面１７ａとヘッド装着部材９（嵌合部１５）の端部内面には、鋸歯状の凹凸部１９が形成されている。
【図面の簡単な説明】
【００１３】
【図１】本発明のシャワーフックの１実施形態を示し、図１（Ａ）は全体構成を示す正面図、図１（Ｂ）は図１（Ａ）のＢ−Ｂ線に沿って矢印方向に見た断面図である。
【図２】図２（Ａ）は図１（Ｂ）のＹ−Ｙ線に沿って矢印方向に見た断面図、図２（Ｂ）は図２（Ａ）の要部拡大図である。
【符号の説明】
【００１４】
１…床、２…天井、３…ポール、５…シャワーフック、６…シャワーヘッド
７…ポール固定部材、９…ヘッド装着部材、１２…固定レバー
１３…ブレーキ支持部、１４…係合片、１５…嵌合部、１６…係合部
１７…ブレーキ部材
【図１】
2006028982.tif 000003
【図２】
2006028982.tif 000004